(57)【要約】【課題】用紙ａの綴り位置に関係なく、用紙ａを常に同じ広さで支持する。【解決手段】クリンチ溝２ａを有する綴り台１と、綴り台１上に設けられたステープル打ち出し機構とを備え、クリンチ溝２ａステープル打ち出し機構との間に用紙ａを差し込んで綴じるステープラにおいて、上記綴り台１には、上記用紙ａの差し込み、引き出し方向にスライド可能で、その表面を上記クリンチ溝２ａを備えたクリンチ部材２と略同じ高さにした用紙ａ載置用の可動ステージ８を設け、この可動ステージ８には、載置された用紙ａの端部を位置決めする係合部１０を起立形成したことを特徴とする。【選択図】図１
2007144551.tif 000002
【特許請求の範囲】
【請求項１】
クリンチ溝を有する綴り台と、綴り台上に設けられたステープル打ち出し機構とを備え、クリンチ溝とステープル打ち出し機構との間に用紙を差し込んで綴じるステープラにおいて、
上記綴り台には、上記用紙の差し込み、引き出し方向にスライド可能で、その表面を上記クリンチ溝を備えたクリンチ部材と略同じ高さにした用紙載置用の可動ステージを設け、この可動ステージには、載置された用紙の端部を位置決めする係合部を起立形成した
ことを特徴とするステープラの綴り台構造。
【請求項２】
上記綴り台には、上記用紙の端部位置を検出する綴り位置調整センサを、上記可動ステージと連動させることを特徴とする、請求項１に記載のステープラの綴り台構造。
【請求項３】
上記可動ステージは上記綴り台に着脱可能に設けられていることを特徴とする、請求項１又は２に記載のステープラの綴り台構造。
【発明の詳細な説明】
【技術分野】
【０００１】
本発明は用紙の綴り位置に応じて用紙を載置するステージをスライドさせるステープラの綴り台構造に関する。
【背景技術】
【０００２】
従来の電動ステープラにおいては、用紙のどの位置にステープルを打ち込むかを調整するために、自動スイッチが付いている綴り位置調整センサを用紙の差し込み、引き出し方向に沿って移動させることによって綴り位置を調整するものが知られている。
【０００３】
また、自動スイッチと手動スイッチとを併設したものも知られている。
【０００４】
さらに、用紙の端部を当接させて綴り位置を決める位置決め部材を、用紙の差し込み、引き出し方向に沿ってスライド可能に設けたものも知られている。
【特許文献１】実公平６−４５３４０号公報
【特許文献２】特開２００５−１３８２４８公報
【特許文献３】特開平７−２９０３７３号公報
【発明の開示】
【発明が解決しようとする課題】
【０００５】
しかしながら、用紙を綴るときは、綴り台上に用紙を載置して行なうが、従来の綴り台は固定されたものである。このため、用紙の綴り位置がクリンチ溝から離れたり接近したりすることにより、用紙が綴り台上に載置される部分の面積が変化する。つまり、用紙の綴り位置がクリンチ溝から離れると、用紙は綴り台上に深く差し込まれて載置されるので、綴り台上に載置される部分の面積は大きくなるが、これに反し、際留めのように、用紙の綴り位置がクリンチ溝に接近する場合は、用紙が綴り台上に載置される部分の面積は小さくなる。したがって、綴り状態が不安定で、綴じられた用紙が撓んだ状態になったり、綴じ位置がばらついたりすることがあった。
【０００６】
本発明は上記問題点を解消し、用紙の綴り位置に関係なく、用紙を常に同じ広さで支持することができる、ステープラの綴り台構造を提供することをその課題とする。
【課題を解決するための手段】
【０００７】
上記課題を解決するため、請求項１に係る発明は、クリンチ溝を有する綴り台と、綴り台上に設けられたステープル打ち出し機構とを備え、クリンチ溝とステープル打ち出し機構との間に用紙を差し込んで綴じるステープラにおいて、上記綴り台には、上記用紙の差し込み、引き出し方向にスライド可能で、その表面を上記クリンチ溝を備えたクリンチ部材と略同じ高さにした用紙載置用の可動ステージを設け、この可動ステージには、載置された用紙の端部を位置決めする係合部を起立形成したことを特徴とする。
【０００８】
請求項２に係る発明は、上記綴り台には、上記用紙の端部位置を検出する綴り位置調整センサを、上記可動ステージと連動させることを特徴とする。
【０００９】
請求項３に係る発明は、上記可動ステージは上記綴り台に着脱可能に設けられていることを特徴とする。
【発明の効果】
【００１０】
請求項１に係る発明によれば、用紙を可動ステージの上に載置してクリンチ溝と打ち出し機構との間に差し込み、その端部が係合部に係合するまで押し込む。これにより、用紙が位置決めされるから、別途位置決め部材を設ける必要がない。
【００１１】
用紙端部から遠い位置を綴じる場合も、近接した位置を綴じる場合も、用紙は可動ステージの上面に載置されたままであるから、用紙が支持されている可動ステージの広さは変わらない。したがって、常に安定した綴りが得られる。また、係合部によって用紙の綴じ位置は一定に保持されるので、綴じ位置が均一で、仕上りがよくなる。
【００１２】
請求項２に係る発明によれば、可動ステージと綴り位置検出センサの相対的位置は常に同じであり、綴り位置によって可動ステージの広さが変わることはないから、常に安定した綴りが得られる。
【００１３】
請求項３に係る発明によれば、可動ステージにいろいろな大きさのものや、コーナーだけを綴じる専用ステージを用意しておくことにより、不適なものを外し、好適なものを装着することにより、用紙の大小やコーナー打ちなどに対応することができるから、ユーザーのニーズに合ったステージを提供することができる。
【発明を実施するための最良の形態】
【００１４】
図１（ａ）は打ち込み機構部分を除いて示した電動ステープラの平面図であり、同図（ｂ）は側面図である。上記電動ステープラはクリンチ部材２を有する綴り台１と、綴り台１上に設けられたステープル打ち出し機構を有する打ち出しユニット３とを備え、クリンチ部材２とステープル打ち出しユニット３との間に用紙ａを差し込んで綴じるものである。綴り台１の後半部上部と打ち出しユニット３はカバー４、５で覆われている。
【００１５】
ステープル打ち出しユニット３は、ステープルを打ち込むドライバプレートを駆動するステープル打ち出し機構を備え、この打ち出し機構は電動モータによって作動し、打ち出しユニット３内の先頭のステープルを下方に打ち出すように構成したもので、打ち出されたステープルは用紙ａを貫通してクリンチ部材２のクリンチ溝２ａに当って折れ曲がり、用紙ａを綴じるもので、これらは公知の機構であるから、説明は省略する。
【００１６】
次に、上記綴り台１の前半部には可動ステージ８が設けられている。可動ステージ８は用紙ａを載置する部材で、三方は綴り台１の外形と同じ形状で、内側には凹部９が形成され、凹部９内に綴り台１に設けられたクリンチ溝２ａを備えたクリンチ部材２が配置されるように形成されている。また、可動ステージ８の表面はクリンチ部材２と略同じ高さになるように設定されている。さらに、可動ステージ８の両側後端部の上面には、載置された用紙ａの端部を位置決めする係合部１０が起立形成され、両側前部には指掛け用の凹面部１１が形成されている。さらに、可動ステージ８には、角綴じ用の案内溝６が刻設されている。
【００１７】
上記可動ステージ８は綴り台１に対して上記用紙ａの差し込み、引き出し方向（前後方向）にスライド可能に設けられている。すなわち、図１（ａ）及び図２に示されるように、綴り台１の前半部上面は、クリンチ溝２ａの周囲のコ字形部１２（凹部９の内周）を残して可動ステージ８の厚さ分だけ低く形成され、上記コ字形部１２の両側の外側面には案内溝１３が形成され、上記コ字形部１２に嵌め込まれる可動ステージ８の凹部９の両側の内側面には上記案内溝１３に係合する片側各１対の突部１４が形成されている。これにより、可動ステージ８は綴り台１に対して水平を保った状態でスライド可能となる。スライドは少しきつめにするのが好ましい。あるいは、スムーズにスライドし、適宜のブレーキ手段により所定位置で制動できるようにしてもよい。
【００１８】
可動ステージ８の両側の後端部は綴り台１のカバー４の下部前端面に係合することによって後方の移動端が決められている。可動ステージ８の前方の移動端は綴り台１にストッパ（図示せず）を設けて規制してもよく、あるいは規制せずに可動ステージ８が綴り台１から抜け出すように構成してもよい。ただし、ストッパを設けた場合でも、ストッパは外部から操作可能とし、可動ステージ８を綴り台１から外すことができるようにして、可動ステージ８は綴り台１に対して着脱可能とする。
【００１９】
なお、カバー５の上部には自動とマニュアルの切替スイッチ１５と、手動で綴じる場合の手動スイッチ１６が設けられている。
【００２０】
上記構成によれば、用紙ａを綴じるときは、まず可動ステージ８の両側凹面部１１に指を掛けて前後にスライドさせ、係合部１０の位置を調節して用紙ａの綴り位置を決める。用紙ａの端部に近接した位置を綴じるときは、図１（ａ）（ｂ）に示されるように、可動ステージ８を後方に浅く移動させる。次に、用紙ａを可動ステージ８の上に載置してクリンチ溝２ａと打ち出しユニット３との間に差し込み、その端部が係合部１０に係合するまで押し込む。これにより、用紙ａが位置決めされる。そこで、手動スイッチ１６をオンさせると打ち出しユニット３が作動し、用紙ａの所定位置が綴じられる。これに対し、用紙ａの端部から離れた位置を綴じるときは、図３（ａ）（ｂ）に示されるように、可動ステージ８を深く移動させる。そして、用紙ａの端部を係合部１０に係合させた後、打ち出し機構を作動させて綴じればよい。
【００２１】
なお、用紙ａを角綴じするときは、用紙ａの隣り合う辺を案内溝６に合わせて綴じればよい。
【００２２】
上述のように、用紙ａの端部の深い位置を綴じる場合も、端部に近接した位置を綴じる場合も、用紙ａは可動ステージ８の上面に載置されたままであるから、用紙ａが支持されている可動ステージ８の広さは変わらない。したがって、常に安定した綴りが得られる。また、係合部１０によって用紙ａの綴じ位置は一定に保持されるので、綴じ位置が均一で、仕上りがよくなる。
【００２３】
なお、自動で綴じる場合、図４に示されるように、用紙ａの端部位置を検知する綴り位置調整用のセンサアーム１８ａをクリンチ溝２ａの後方に立てておき、用紙ａに押し込まれたときにスイッチが入るように構成すればよいが、綴り位置調整センサは可動ステージ８と連動させるように構成してもよい。例えば、図１（ａ）に示すように、上記綴り位置調整センサ１８を可動ステージ８の係合部１０か、両側の係合部１０を結ぶ線上に配置すればよい。これによれば、上記係合部１０に用紙ａの端部が当ったことを検知して打ち出し機構が作動し、綴り作動が行なわれるが、可動ステージ８と綴り位置検出センサ１８の相対的位置は常に同じであり、綴り位置によって可動ステージ８の広さが変わることはないから、常に安定した綴りが得られる。
【００２４】
また、可動ステージに図５に示される大型の可動ステージ８や、コーナーだけを綴じる専用ステージ（上記案内溝６を上方に突出させて用紙に係合可能とするもの）を用意しておくことにより、不適なものを外し、好適なものを装着することにより、用紙の大小やコーナー打ちなどに対応することができる。
【図面の簡単な説明】
【００２５】
【図１】（ａ）（ｂ）は打ち込み機構部分を除いて示した電動ステープラの平面図および側面図である。
【図２】図１（ａ）のＸ−Ｘ線上の断面図である。
【図３】（ａ）（ｂ）は、綴り位置を用紙の端部に近接させた場合の可動ステージと用紙の状態を、図１（ａ）（ｂ）と同じ態様で示す電動ステープラの平面図および側面図である。
【図４】センサアームを示す要部の断面図である。
【図５】大型可動ステージに替えた電動ステープラの平面図である。
【符号の説明】
【００２６】
ａ    用紙
１    綴り台
２ａ  クリンチ溝
８    可動ステージ
１０  係合部
【図１】
2007144551.tif 000003
【図２】
2007144551.tif 000004
【図３】
2007144551.tif 000005
【図４】
2007144551.tif 000006
【図５】
2007144551.tif 000007